(57)【要約】【課題】便器を容易に生産、施行、メンテナンスすることができ、使用者にとって適度な明度の発光を可能とし、外観上美しく見えると共に、清潔感が増すことができる発光便器を提供する。【解決手段】便器ボール部１と、ハウジング部２と、により構成する便器であって、便器ボール部１かハウジング部２の少なくとも一方の一部又は全体が透明性を有する樹脂によってなり、便器ボール部１の下部であって、直接光源が見えない程度に前記透明性を有する部位から距離を設けた位置に、発光部３を集中して設置する。【選択図】図１
2007170052.tif 000002
【特許請求の範囲】
【請求項１】
汚物や汚物を流すための水を貯める便器ボール部と、便器ボール部を囲って便器の外郭を形成するハウジング部と、により構成する便器であって、便器ボール部かハウジング部の少なくとも一方の一部又は全体が透明性を有し、便器ボール部の下部であって、直接光源が見えない程度に前記透明性を有する部位から距離を設けた位置に、発光部を集中して設置してなる発光便器。
【請求項２】
ハウジング部の一部又は全体が透明性を有することを特徴とする請求項１記載の発光便器。
【請求項３】
便器ボール部の一部又は全体が透明性を有することを特徴とする請求項１又は２記載の発光便器。
【請求項４】
発光部として、光源を複数設けた発光ブロックを用いたことを特徴とする請求項１〜３のいずれか１項記載の発光便器。
【請求項５】
発光色が異なる光源を二種類以上用いたことを特徴とする請求項４記載の発光便器。
【請求項６】
発光部の光源として、LEDを用いたことを特徴とする請求項１〜５のいずれか１項記載の発光便器。
【請求項７】
発光部と透明性を有する部位との間に拡散板を設けたことを特徴とする請求項１〜６のいずれか１項記載の発光便器。
【発明の詳細な説明】
【技術分野】
【０００１】
本願発明は、便器を光らせるようになした発光便器に関する。
【背景技術】
【０００２】
従来から、特開２００１−１２０４４８号公報（特許文献１）に示されるように、発光便器は知られている。この発光便器は図７に示すように、便器を内部が透視可能なスケルトン構造となして、その内部に発光部３としてLED５を埋設し、これによって便器を光らせるようにしている。
【特許文献１】特開２００１−１２０４４８号公報
【発明の開示】
【発明が解決しようとする課題】
【０００３】
しかしながら、特開２００１−１２０４４８号公報に示される上記従来例の発光便器にあっては、発光部３が便器の外郭に近い位置にあるため、使用者の視覚に対して直接的かつ強い刺激の光が照射される恐れがある。又、便器及びその周辺部品の各部に発光部３を複数設けているので、生産時・施行時において非常に煩雑である。又、発光部３が分散しているため、便器のメンテナンスも困難である。
【０００４】
本願発明は上記背景技術に鑑みて発明されたものであり、その課題は、便器を容易に生産、施行、メンテナンスすることができ、使用者にとって適度な明度の発光を可能とし、外観上美しく見えると共に、清潔感が増すことができる発光便器を提供することである。
【課題を解決するための手段】
【０００５】
上記課題を解決するために、本願請求項１記載の発明では、汚物や汚物を流すための水を貯める便器ボール部と、便器ボール部を囲って、便器の外郭を形成するハウジング部と、により構成する便器であって、便器ボール部かハウジング部の少なくとも一方の一部又は全体が透明性を有し、便器ボール部の下部であって、直接光源が見えない程度に前記透明性を有する部位から距離を設けた位置に、発光部を集中して設置する。
【０００６】
又、本願請求項２記載の発明では、上記請求項１記載の発光便器において、ハウジング部の一部又は全体が透明性を有することを特徴としている。
【０００７】
又、本願請求項３記載の発明では、上記請求項１又は請求項２記載の発光便器において、便器ボール部の一部又は全体が透明性を有することを特徴としている。
【０００８】
又、本願請求項４記載の発明では、請求項１〜３のいずれか１項記載の発光便器において、発光部として、光源を複数設けた発光ブロックを用いたことを特徴としている。
【０００９】
又、本願請求項５記載の発明では、上記請求項４記載の発光便器において、発光色が異なる光源を二種類以上用いたことを特徴としている。
【００１０】
又、本願請求項６記載の発明では、上記請求項１〜５のいずれか１項記載の発光便器において、発光部の光源として、LEDを用いたことを特徴としている。
【００１１】
又、本願請求項７記載の発明では、上記請求項１〜６のいずれか１項記載の発光便器において、発光部と透明性を有する部位との間に拡散板を設けたことを特徴としている。
【発明の効果】
【００１２】
本願請求項１記載の発明の発光便器においては、便器ボール部かハウジング部の少なくとも一方の一部又は全体が透明性を有し、便器ボール部の下部の、直接光源が見えない程度に前記透明性を有する部位から距離を設けた位置に、発光部を集中して設置しているので、便器の前記透明性を有する一部又は全体がぼんやりと光り、外観上美しく見えると共に、清潔感が増す。又、ぼんやりとした光であるため、使用者の視覚に強い刺激を与えることがなく、夜間使用時において、明るすぎて目が覚めてしまうということも無くなる。又、便器ボール部の下部に発光部を集中して設置するという構造なので、発光部を分散させる必要がなく、施工性・生産性に優れる。又、発光部を集中させることでメンテナンスも容易になる。又、便器の一部又は全体が光ることで、便器の傷などが目立たなくなる。
【００１３】
本願請求項２記載の発明の発光便器においては、特に、便器の外郭であるハウジング部の一部又は全体が透明性を有するため、その透明性を有する部位を光らせることができ、使用者の視覚に対して効果的に訴えることができる。又、ハウジング部の一部を光らせることで、模様を形成したり、使用者の視覚に対する光の刺激を抑えるようにしたりすることもできる。
【００１４】
本願請求項３記載の発明の発光便器においては、特に、便器ボール部の一部又は全体が透明性を有するため、その透明性を有する部位を光らせることができ、便器ボール部が美しく見えることで汚れも目立たなくなり、使用者の不快感を軽減できる。又、便器ボールに貯まった水を発光部からの光によって照射することで、綺麗に光らせることできる。
【００１５】
本願請求項４記載の発明の発光便器においては、特に、発光部として、光源を複数設けた発光ブロックを用いているので、発光部として発光ブロックのみを設置すればよく、複数の光源を設置する手間が入らず、施工性・メンテナンス性に優れる。
【００１６】
本願請求項５記載の発明の発光便器においては、特に、発光部の光源として、LEDを用いているため、LEDの高い指向性により、光らせたい部位のみを光らせることができる。これにより、使用者の視覚に対してより効果的に訴えることができる。
【００１７】
本願請求項６記載の発明の発光便器においては、特に、発光色が異なる光源を二種類以上用いているので、各色の光源の強さを調節することにより、便器の発光色を自在に調節することができる。これにより、便器を、使用者の体調や時間帯を意識した発光色にすることができる。例えば、朝方ならば便器を寒色系の青色にすることで使用者の眠気を覚まし、夜間ならば暖色系のオレンジ色にすることで使用者の眠気が覚めにくくできる。又、使用者にとって便意をもよおしやすい色に設定することで、使用者の健康維持を支援することもできる。又、各色の光源の強さの差や波長の差を利用することで、異なる光の層による模様を作ることも可能なので、使用者の好みに合わせた快適なトイレ空間にすることができる。
【００１８】
本願請求項７記載の発明の発光便器においては、特に、発光部と透明性を有する部位との間に拡散板を設けているので、より広範に便器の一部又は全体を照らすことができる。
【発明を実施するための最良の形態】
【００１９】
以下、本願発明を添付図面に示す実施形態に基づいて説明する。
【００２０】
図１〜５は、本願請求項１〜７全てに対応した一実施形態である発光便器を示している。
【００２１】
この発光便器は、便器ボール部１と、ハウジング部２と、により構成する便器であって、便器ボール部１かハウジング部２の少なくとも一方の一部又は全体が半透明性を有し、便器ボール部１の下部であって、直接光源が見えない程度に前記半透明性を有する部位から距離を設けた位置に、発光部３を集中して設置している。そして、ハウジング部２の一部又は全体、便器ボール部１の一部又は全体が半透明性を有している。そして、発光部３として、光源を複数設けた発光ブロック４を用いている。そして、発光部３の光源として、LED５を用いている。そして、発光色が異なるLED５を二種類以上用いている。そして、発光部３と半透明性を有する部位との間に拡散板６を設けている。
【００２２】
以下、この実施形態の発光便器をより具体的詳細に説明する。
【００２３】
図１〜５に示すように、この発光便器は、便器ボール部１と、ハウジング部２と、座面部７と、発光部３と、拡散板６と、からなる。
【００２４】
汚物や汚物を流すための水を貯める便器ボール部１は、半透明性を有する樹脂や、すりガラス等からなる。この樹脂は透明性を有する部位の内側表面にブラスト処理を施すことで粗面とすることによって半透明にする。又、乳白色にするためのフィラーを入れたり、不透明な塗料を入れたりすることで半透明にすることも可能である。又、ラメ等を入れることで、より使用者の視覚に訴えることも可能である。又、透明性を有するアクリル樹脂に防汚効果のあるフッ素樹脂やシリコン樹脂などを混合することも可能である。この便器ボール部１は汚物や水を流すための排水管８を有する。
【００２５】
そして、便器ボール部１を囲って便器の外郭を形成するハウジング部２が設けられている。このハウジング部２は便器ボール部１と同様の半透明性を有する樹脂やガラス等からなる。ハウジング部２の上側開口部には、便座９を載せるための座面部７が設けられる。この座面部７は半透明性を有する樹脂等からなる。便座９及び便蓋１０を座面部７の後ろ側でそれぞれ開閉自在に支持している。便座９と便蓋１０は不透明の樹脂又は金属等により一体化されて形成されている。座面部７の縁であって、便座９と便蓋１０のさらに後ろ側に、発光便器の電源のオンオフや各LED５の明度の調節等が可能とするための、電源及び制御回路部１１を設けている。そして、便器の底部中央に発光部３を設置している。この便器の底部中央は直接光源が見えない程度に、便器ボール部１とハウジング部２の半透明性を有する部位から距離を設けた位置である。そして、この発光部３と前記の半透明性を有する部位との間に、基板片面を擦りガラスにした拡散板６を設けている。この拡散版６のつや消し効果を利用することで、照明光を均一な拡散光に変えることができる。
【００２６】
前記のハウジング部２の全体、便器ボール部１の全体は半透明性を有する。
【００２７】
発光部３として、LED５を複数設けた発光ブロック４を用いている。この発光ブロック４はドーナッツ形状であり、樹脂等からなる。この発光ブロック４に、青と赤の発光色のLED５が複数設けられている。それぞれのＬＥＤは一定の間隔をあけて、交互に色が違うように配置している。
【００２８】
したがって、この実施形態の発明の発光便器においては、半透明性を有する樹脂によってなる、便器ボール部１とハウジング部２とにより構成する便器であって、便器ボール部１の下部の、直接光源が見えない程度に前記半透明性を有する部位から距離を設けた位置に、発光部３を集中して設置しているので、便器の全体がぼんやりと光り、外観上美しく見えると共に、清潔感が増す。又、ぼんやりとした光であるため、使用者の視覚に強い刺激を与えることがなく、夜間使用時において、明るすぎて目が覚めてしまうということも無くなる。又、便器ボール部１の下部に発光部３を集中して設置するという構造なので、発光部３を分散させる必要がなく、施工性・生産性に優れる。又、発光部３を集中させることでメンテナンスも容易になる。又、便器の全体が光ることで、便器の傷などが目立たなくなる。
【００２９】
又、便器の外郭であるハウジング部２の全体が半透明性を有するため、その半透明性を有する部位を光らせることができ、使用者の視覚に対して効果的に訴えることができる。又、ハウジング部２の一部を光らせることで、模様を形成したり、使用者の視覚に対する光の刺激を抑えるようにしたりすることもできる。例えば、図６に示すように、ハウジング部２の下側のみが全周に渡って半透明性を有するようにし、使用者の足元からのみぼんやりと光るようにすることができる。
【００３０】
又、便器ボール部１の全体が半透明性を有するため、その半透明性を有する部位を光らせることができ、便器ボール部１が美しく見えることで汚れも目立たなくなり、使用者の不快感を軽減できる。又、便器ボール部１に貯まった水を発光部３からの光によって照射することで、綺麗に光らせることできる。又、便器ボール部１の全体が光ることで、便器の傷などが目立たなくなる。
【００３１】
又、発光部３として、光源を複数設けた発光ブロック４を用いているので、発光部３として発光ブロック４のみを設置すればよく、複数の光源を設置する手間が入らず、施工性・メンテナンス性に優れる。
【００３２】
又、発光部３の光源として、LED５を用いているため、LED５の高い指向性により、光らせたい部位のみを光らせることができる。これにより、使用者の視覚に対してより効果的に訴えることができる。
【００３３】
又、青と赤の発光色のLED５を用いているので、各色の光源の強さを調節することにより、便器の発光色を自在に調節することができる。これにより、便器を、使用者の体調や時間帯を意識した発光色にすることができる。例えば、朝方ならば便器を寒色系の青色にすることで使用者の眠気を覚まし、夜間ならば暖色系のオレンジ色にすることで使用者の眠気が覚めにくくできる。又、使用者にとって便意をもよおしやすい色に設定することで、使用者の健康維持を支援することもできる。又、各色の光源の強さの差や波長の差を利用することで、光の色が完全に混ざった色にならずに、各光の色が異なる光の層による模様を作ることも可能である。光源として青と赤の発光色のLED５を使用しているので、赤と青の発光色が混ざった色にならずに、各色の層が綺麗なグラデーション状に構成される。これにより、さらに使用者の好みに合わせた快適なトイレ空間にすることができる。
【００３４】
又、発光部３と半透明性を有する部位との間に拡散板６を設けているので、より広範に便器の一部又は全体を照らすことができる。なお、拡散板６の代わりにミラーボール等を設けることで、新たな視覚的な効果を作り出すことも出来る。
【００３５】
なお、本願発明にあっては、半透明性を有する樹脂を用いているが、完全に透明である樹脂や、すりガラスを用いることも可能である。又、光源を複数設けているが、1個の光源であっても実施可能である。又、複数の光源を設けている場合において、発光色が赤、緑、青である光源をそれぞれ設けることで自在に光の色を調整することも可能である。又、光源としてLED５を使用しているが、有機ELや蛍光灯等の他の光源であっても実施可能である。又、拡散板６を設けているが、拡散板６を設けなくとも実施可能である。又、座面部７は半透明性を有しているが、半透明性を有していなくても実施可能である。又、便蓋１０は半透明性を有していないが、半透明性を有していても実施可能である。又、発光ブロック４の形状はドーナッツ形状としているが、この形状に限定されるものではない。
【図面の簡単な説明】
【００３６】
【図１】本願発明の一実施形態である発光便器を示す分解斜視図。
【図２】同発光便器を示す断面図。
【図３】同発光便器のハウジング部が発光している状態を示す斜視図。
【図４】同発光便器の便器ボール部が発光している状態を示す斜視図。
【図５】同発光便器の発光ブロックを示す斜視図。
【図６】同発光便器のハウジング部の下側のみが発光している状態を示す斜視図。
【図７】従来例である発光便器を示す斜視図。
【符号の説明】
【００３７】
１  便器ボール部
２  ハウジング部
３  発光部
４  発光ブロック
５  LED
６  拡散板
７  座面部
８  排水管
９  便座
１０  便蓋
１１  電源及び制御回路部
【図１】
2007170052.tif 000003
【図２】
2007170052.tif 000004
【図３】
2007170052.tif 000005
【図４】
2007170052.tif 000006
【図５】
2007170052.tif 000007
【図６】
2007170052.tif 000008
【図７】
2007170052.tif 000009